(57)【要約】【課題】容易にマウスやラットなどの動物にセット可能な四肢固定具と固定方法を提供する。【解決手段】動物の四肢固定具は、動物３０の前肢又は後肢３１の関節部３３に引っ掛けるためのループ部４を備える紐状体２と、この紐状体２を、ループ部４に関節部３３を引っ掛けた状態で、関節部３３の近傍の肢部３４、３５を含めて挿入するための挿入開口１０を一端に有する中空状の本体部１と、紐状体２を本体部１に固定するための固定部３とを備えている。【選択図】図５
2016192920.tif 000002
【特許請求の範囲】
【請求項１】
動物の前肢又は後肢の関節部に引っ掛けるためのループ部を備える紐状体と、
前記紐状体を、前記ループ部に関節部を引っ掛けた状態で、関節部の近傍の肢部を含めて挿入するための挿入開口を一端に有する中空状の本体部と、
前記紐状体を前記本体部に固定するための固定部と
を備える動物の四肢固定具。
【請求項２】
請求項１に記載の動物の四肢固定具であって、
前記固定部が、前記本体部に開口された一以上の開口部を含み、前記開口部に前記紐状体を通して結ぶことで前記紐状体を前記本体部の定位置に固定してなる動物の四肢固定具。
【請求項３】
請求項２に記載の動物の四肢固定具であって、
前記開口部が、前記紐状体を通す内径の円形状に形成されてなる動物の四肢固定具。
【請求項４】
請求項２に記載の動物の四肢固定具であって、
前記開口部が、前記紐状体を通すスリット状に形成されてなる動物の四肢固定具。
【請求項５】
請求項１に記載の動物の四肢固定具であって、
前記固定部が、前記本体部に形成された一以上の挿通部を含み、前記挿通部に前記紐状体を通して結ぶことで前記紐状体を前記本体部の定位置に固定してなる動物の四肢固定具。
【請求項６】
請求項２から５のいずれか一に記載の動物の四肢固定具であって、
前記本体部の前記挿入開口の開口縁から前記開口部または前記挿通部までの深さ（Ｈ）が前記本体部の全長（Ｌ）の５０〜１００％である動物の四肢固定具。
【請求項７】
請求項１から６のいずれか一に記載の動物の四肢固定具であって、
前記本体部が、透光性を有する動物の四肢固定具
【請求項８】
請求項１から７のいずれか一に記載の動物の四肢固定具であって、
前記本体部が円筒状に形成されてなる動物の四肢固定具。
【請求項９】
請求項１から８のいずれか一に記載の動物の四肢固定具であって、
前記紐状体が、糸状ないし紐状に形成されてなる動物の四肢固定具。
【請求項１０】
請求項１から８のいずれか一に記載の動物の四肢固定具であって、
前記紐状体が、帯状に形成されてなる動物の四肢固定具。
【請求項１１】
請求項１から１０のいずれか一に記載の動物の四肢固定具であって、さらに、
前記紐状体が固定された前記本体部の外側を被覆する外装部を備える動物の四肢固定具。
【請求項１２】
請求項１１に記載の動物の四肢固定具であって、
前記外装部がギプス、外装キャップ、外装筒のいずれかである動物の四肢固定具。
【請求項１３】
請求項１１又は１２に記載の動物の四肢固定具であって、
前記外装部が前記固定部を兼用している動物の四肢固定具。
【請求項１４】
請求項１から１３のいずれか一に記載の動物の四肢固定具であって、
マウス、ラット、モルモット、又はウサギの後肢を固定するための動物の四肢固定具。
【請求項１５】
動物の四肢の一部を拘束して固定する方法であって、
動物の前肢又は後肢の関節部を、紐状体のループ部に引っ掛ける工程と、
前記ループ部に関節部を引っ掛けた状態で、前記紐状体を、関節部の両側の肢部を含めて中空状の本体部の一端に設けた挿入開口から前記本体部の内部に挿入する工程と、
前記紐状体を前記本体部に固定する工程と
を含む動物の四肢の固定方法。
【請求項１６】
請求項１５に記載の動物の四肢の固定方法であって、
前記紐状体を糸状ないし紐状として、動物の関節部をループ部に引っ掛けた状態で中空状の本体部に挿入し固定し、所定期間経過後、
前記紐状体を布状のものに交換し、該布状の紐状体でもって動物の関節部を引っ掛けた状態で中空状の本体部に固定する動物の四肢の固定方法。
【発明の詳細な説明】
【技術分野】
【０００１】
本発明は、動物の四肢の一部であって、例えば、後肢の関節部及びその近傍の肢部を拘束して固定する四肢固定具と動物の四肢の固定方法に関する。
【背景技術】
【０００２】
各種実験に使用されるマウスやラット等の小動物を固定するための器具は、各種開発されている（例えば特許文献１参照）。しかしながら、多くの固定器具はマウス等のからだ全体を固定するための器具であり、マウスの手足部分のみを固定するための部材は、殆ど存在しないのが現状である。例えば、骨格筋の萎縮変化を調べるために、ラットの後肢の膝関節と足関節を固定することが行われている。このような固定には、従来ではギプスが利用されてきた（例えば非特許文献１）。
【０００３】
しかしながら、ギプスをマウスやラットに固定する方法は非常に手間が掛かるという問題があった。特に、マウスは小型で手足が細いため、適度な押圧力に調整することが非常に難しく、強く押圧すると血行が悪くなり、一方で弱すぎると抜け落ちてしまう。
【先行技術文献】
【特許文献】
【０００４】
【特許文献１】実開昭６１−２４０１７号公報
【特許文献２】特許５２１００３５号公報
【非特許文献】
【０００５】
【非特許文献１】鈴木英樹，辻本尚弥「ラットの後肢骨格筋における固定とサスペンションの影響」愛知教育大学研究報告，５９（芸術・保健体育・家政・技術科学・創作編），pp．４３〜４６（２０１０年３月）
【発明の概要】
【発明が解決しようとする課題】
【０００６】
本発明は、従来のこのような問題点に鑑みてなされたものである。本発明の目的の一は、容易にマウスやラットなどの動物にセット可能とした動物の四肢固定具及び動物の四肢の固定方法を提供することにある。
【課題を解決するための手段及び発明の効果】
【０００７】
上記目的を達成するため、本発明に係る動物の四肢固定具によれば、動物３０の前肢又は後肢３１の関節部３３に引っ掛けるためのループ部４を備える紐状体２と、この紐状体２を、ループ部４に関節部３３を引っ掛けた状態で、関節部３３の近傍の肢部３４、３５を含めて挿入するための挿入開口１０を一端に有する中空状の本体部１と、紐状体２を本体部１に固定するための固定部３とを備えている。
本明細書において、紐状体とは、糸状ないし紐状のものから帯状のものまでを含む広い意味で使用する。
【０００８】
上記構成により、ギプスのような複雑な作業を経ることなく、動物の前肢又は後肢の関節部を紐状体に引っ掛けて、この紐状態を介して関節部の両側の肢部を本体部に挿入して、簡単かつ容易に、しかも確実に動物の四肢を固定できる。また、固定具を簡単な構造とすることで、安価に多量生産しながら、動物を傷つけることなく四肢を固定できる。
【０００９】
本発明の動物の四肢固定具は、固定部３が、本体部１に開口された一以上の開口部５を含み、開口部５に紐状体２を通して結ぶことで紐状体２を本体部１の定位置に固定することができる。
【００１０】
開口部５は、紐状体２を通す内径の円形状に形成することができる。また、開口部５は、紐状体２を通すスリット状に形成することができる。
【００１１】
本発明の動物の四肢固定具は、固定部３が、本体部１に形成された一以上の挿通部１５を含み、挿通部１５に紐状体２を通して結ぶことで紐状体２を本体部１の定位置に固定することができる。
【００１２】
本発明の動物の四肢固定具は、本体部１の挿入開口１０の開口縁から開口部５または挿通部１５までの深さ（Ｈ）を、本体部１の全長（Ｌ）の５０〜１００％とすることができる。
【００１３】
本発明の動物の四肢固定具は、本体部１が透光性を有することができる。
上記構成により、固定した動物の手足首を外部から視認し易くなり、むくみや損傷の発生を確認でき、ギプスのように確認できない従来のタイプに対して優位性を発揮できる。
【００１４】
本発明の動物の四肢固定具は、本体部１を円筒状に形成することができる。
上記構成により、本体部を円筒状とすることで、外力に対して強い構造にできる。また、円筒の本体部は、内面を湾曲面にできるので、本体部に挿入される動物の肢部を保護しながら固定できる。
【００１５】
本発明の動物の四肢固定具は、紐状体２を、糸状ないし紐状に形成することができる。また、本発明の動物の四肢固定具は、紐状体２を、帯状に形成することができる。
【００１６】
本発明の動物の四肢固定具は、紐状体２が固定された本体部１の外側を被覆する外装部８を備えることができる。
上記構成により、本体部から外部に露出する紐状体を外装部で被覆して保護できる。とくに、実験中において、本体部から外部に露出する紐状体が動物にかじられて破損するのを有効に防止できる。
【００１７】
本発明の動物の四肢固定具は、外装部８を、ギプス１２、カバー部２０、２６、筒体２５のいずれかとすることができる。
【００１８】
本発明の動物の四肢固定具は、外装部８が固定部３を兼用することができる。
上記構成により、外装部で本体部を保護しながら、紐状体を強固に固定できる。
【００１９】
本発明の動物の四肢固定具は、マウス、ラット、モルモット又はウサギの後肢を固定することができる。
【００２０】
本発明の動物の四肢の固定方法は、動物３０の四肢の一部を拘束して固定する方法であって、動物３０の前肢又は後肢３１の関節部３３を、紐状体２のループ部４に引っ掛ける工程と、ループ部４に関節部３３を引っ掛けた状態で、紐状体２を、関節部３３の両側の肢部３４、３５を含めて中空状の本体部１の一端に設けた挿入開口１０から本体部１の内部に挿入する工程と、紐状体２を本体部１に固定する工程とを含んでいる。
【００２１】
上記方法により、ギプスのような複雑な作業を経ることなく、動物の前肢又は後肢の関節部を紐状体に引っ掛けて、この紐状態を介して関節部の両側の肢部を本体部に挿入して、紐状体を固定部に固定することで、簡単かつ容易に動物の四肢の一部を拘束して固定できる。
【００２２】
さらに、本発明の動物の四肢の固定方法は、紐状体２を糸状ないし紐状として、動物の関節部３３をループ部４に引っ掛けた状態で中空状の本体部１に挿入し固定し、所定期間経過後、紐状体２を布状のものに交換し、布状の紐状体２でもって動物の関節部３３を引っ掛けた状態で中空状の本体部１に固定することができる。
【００２３】
これにより、動物の抵抗力の強い当初は糸状ないし紐状の紐状体を用いて強固に関節部や肢部を固定する一方で、固定状態が継続して筋力が低下した状態では、布状の紐状体に交換することで関節部や肢部への血行を妨げないようにし、壊死などのリスクを低減できる。
【図面の簡単な説明】
【００２４】
【図１】本発明の実施形態１に係る動物の四肢固定具を示す斜視図である。
【図２】図１の動物の四肢固定具から引き出した紐状体をマウスの後肢に掛けようとする様子を示す斜視図である。
【図３】図２の紐状体をマウスの後肢に掛けた状態を示す斜視図である。
【図４】図３の紐状体を本体部に引き込み後肢を挿入した状態を示す斜視図である。
【図５】図４の紐状体を結んだ状態を示す斜視図である。
【図６】図５の本体部にギプスを固定した状態を示す断面図である。
【図７】本発明の実施形態２に係る動物の四肢固定具を示す斜視図である。
【図８】本発明の実施形態３に係る動物の四肢固定具を示す斜視図である。
【図９】本発明の実施形態４に係る動物の四肢固定具を示す斜視図である。
【図１０】図９の動物の四肢固定具にマウスの後肢を挿入した状態を示す斜視図である。
【図１１】本発明の実施形態５に係る動物の四肢固定具を示す斜視図である。
【図１２】図１１の動物の四肢固定具の水平断面図である。
【図１３】本発明の実施形態６に係る動物の四肢固定具を示す水平断面図である。
【図１４】本発明の実施形態７に係る動物の四肢固定具を示す水平断面図である。
【図１５】図１４の動物の四肢固定具を示す斜視図である。
【図１６】本発明の実施形態８に係る動物の四肢固定具を示す水平断面図である。
【図１７】本発明の実施形態９に係る動物の四肢固定具を示す水平断面図である。
【図１８】本発明の実施形態１０に係る動物の四肢固定具を示す水平断面図である。
【図１９】本発明の実施形態１１に係る動物の四肢固定具を示す水平断面図である。
【図２０】本発明の実施形態１２に係る動物の四肢固定具を示す斜視図である。
【図２１】図２０の本体部にカバー部を装着する状態を示す分解断面図である。
【図２２】図２０の動物の四肢固定具を示す水平断面図である。
【図２３】本発明の実施形態１３に係る動物の四肢固定具を示す分解斜視図である。
【図２４】本発明の実施形態１４に係る動物の四肢固定具を示す分解斜視図である。
【図２５】本発明の実施形態１５に係る動物の四肢固定具を示す分解斜視図である。
【図２６】本発明の実施形態１６に係る動物の四肢固定具を示す斜視図である。
【発明を実施するための形態】
【００２５】
以下、本発明の実施の形態を図面に基づいて説明する。ただし、以下に示す実施の形態は、本発明の技術思想を具体化するための動物の四肢固定具及び動物の四肢の固定方法を例示するものであって、本発明は動物の四肢固定具及び動物の四肢の固定方法を以下の構成と方法に特定しない。また、本明細書は特許請求の範囲に示される部材を、実施の形態の部材に特定するものでは決してない。特に実施の形態に記載されている構成部品の寸法、材質、形状、その相対的配置等は特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２６】
本発明の動物の四肢固定具は、マウス、ラット、モルモット、及びウサギ等の動物の四肢を固定するための固定具であって、動物の前肢や後肢の一部を拘束する状態で固定して、特定の動物実験等に使用する。以下、本発明の四肢固定具を使用する対象となる動物としてマウスを例にあげて詳述する。さらに、以下に示す実施形態では、マウスの後肢を拘束して固定する使用例を示す。とくに、以下の実施形態では、マウスの後肢であって、下腿部（膝から踵までの部位）と足部（踵からつま先までの部位）の間に位置する関節部を固定して、その近傍に位置する肢部を拘束して固定する実施例を詳述する。ただ、本発明の動物の四肢固定具は、使用対象となる動物をマウスに限定せず、マウス以外の動物にも使用できる。さらに、本発明の四肢固定具は、拘束して固定する動物の四肢を後肢には特定せず、また、固定する部位も下腿部（膝から踵までの部位）と足部（踵からつま先までの部位）には特定しない。本発明の動物の四肢固定具は、動物の前肢を拘束して固定することも、下腿部と足部以外の肢部を拘束して固定することもできる。
【００２７】
（四肢固定具）
図１〜図６に示す動物の四肢固定具は、使用対象となる動物３０の後肢３１の関節部３３に引っ掛けるためのループ部４を備える紐状体２と、この紐状体２を、ループ部４に関節部３３を引っ掛けた状態で、関節部３３の近傍の肢部３４、３５を含めて挿入するための挿入開口１０を一端に有する中空状の本体部１と、紐状体２を本体部１に固定するための固定部３とを備えている。
【００２８】
（紐状体２）
紐状体２は、図１〜図６に示すように、動物３０の後肢３１の関節部３３に連結されて、動物３０の後肢３１を本体部１の定位置に固定する。図に示す紐状体２は、糸状ないし紐状の線材であって、例えば、天然繊維や化学繊維を撚り集めて糸状ないし紐状に成形したものが使用できる。紐状体２には、好ましくは、たこ糸のような糸状のもの、あるいは、たこ糸を撚り集めて紐状にしたものが使用できる。たこ糸からなる紐状体２は、一般に使用されているものが使用でき、安価に入手できる。紐状体２には、たこ糸以外の線材、例えば、手芸用の毛糸や紐材、荷造り用のプラスチック製の紐材等も使用できる。以上のように、天然繊維や化学繊維を撚り集めて糸状ないし紐状に成形した線材は、全体の強度を強くしながら、自由に変形できる特徴がある。ただ、紐状体は、必ずしも複数の繊維材を撚り集めたものには特定せず、１本の線材、例えば、釣り用のテグスや金属線とすることもできる。とくに、金属線からなる紐状体２は、動物３０にかじられて損傷を受ける弊害を低減できる。
【００２９】
ここで、動物３０の四肢を固定する糸状ないし紐状の紐状体２は、太すぎると扱いにくく、また、動物３０の四肢に対して圧迫を与えて血流を悪くする虞がある。これに対して、細くすると、強度が低下する。細くして強度を上げるために、強度を強くすると、動物３０の四肢に食い込む状態となって動物３０の四肢を傷つけるおそれがある。したがって、紐状体２にはこれ等のことを考慮して最適な太さと固さのものが使用される。
【００３０】
ただ、紐状体２は、必ずしも糸状ないし紐状の線材には限定せず、綿布等の布地や不織布等を帯状に裁断したものも使用できる（例えば、図２６参照）。この構造の紐状体２は、動物３０の四肢との接触面積を広くできるので、動物３０の肢部３４、３５に対する圧迫を低減させて、動物３０へのダメージを小さくできる。このような紐状体２として、ガーゼを細長い帯状に裁断したものが適している。ガーゼは、柔らかくて目が粗い綿布であるため、動物３０の四肢の表面を傷つけることなく固定できるからである。ただ、布地を帯状に裁断した紐状体２には、ガーゼ以外の綿布や、綿布以外の布地を使用することもできる。
【００３１】
（ループ部４）
以上の紐状体２は、図１〜図３に示すように、動物３０の後肢３１の関節部３３に引っ掛けるためのループ部４を備えている。ループ部４は、動物３０の四肢の折曲部分である関節部３３に引っ掛ける部分であって、関節部３３の内側に引っ掛け可能な形状としている。図に示す紐状体２は、中間部分で折り返してＵ曲しており、このＵ曲部をループ部４として動物３０の関節部３３に引っ掛けできるようにしている。すなわち、ループ部４は、完全に環状に閉じた状態とする必要はなく、少なくとも関節部３３の内側に挿入して係止できる半円状とすることで引っ掛けできる。このように、紐状体２の中間部を折り返してループ部４とする紐状体２は、詳細には後述するが、一端から引くことで本体部１から簡単に引き抜くことができる。このため、紐状体２を途中で交換する際には、作業を楽にできる。ただ、ループ部４は、環状とすることもできる。環状であるループ部４は、紐状体２の中間部や端部を結束して形成することができる（例えば、図１６参照）。環状のループ部４は、拘束する後肢３１を挿入できる内形に形成される。
【００３２】
さらに、ループ部４は、必ずしも紐状体２の一部で形成する必要はなく、別部材として紐状体２に連結することもできる。例えば、紐状体２は、環状のリング部材をループ部４として紐状体２に連結することができる（例えば、図１８参照）。別部材からなる環状のループ部４は、金属やプラスチックを環状に形成したもの、あるいは、糸状ないし紐状の線材をリング状に結束したもの、あるいは、ゴムリング等が使用できる。これらのループ部４は、動物３０の後肢３１を挿入できる内形であって、動物３０の後肢３１を挿入して関節部３３を引っ掛けた状態で本体部１に挿入できる外形とする。環状に形成されたループ部４は、紐状体２を挿通して紐状体２の中間部に配置され、あるいは、紐状体２の中間部や端部に結束して連結される。
【００３３】
（本体部１）
本体部１は、図１〜図６に示すように、中空状であって、一端には、紐状体２を介して動物３０の肢部３４、３５を挿入するための挿入開口１０を開口して設けている。本体部１は、例えば、両端が開口された筒状とし、あるいは有底の筒状とすることができる。筒状の本体部１は、筒部の断面形状を円形とすることができる。この本体部１は、内面を湾曲面にできるので、本体部１の内部に挿入される動物３０の肢部３４、３５を保護しながら固定できる。ただ、本体部１は、筒部の断面形状を楕円形状や長円形状とすることも、多角形状とすることもできる。両端が開口された筒状の本体部１は、一方の開口端を動物３０の肢部３４、３５の挿入開口１０として、他方の開口端側を紐状体２を引き出す側の引き出し開口１３として、引き出し開口１３側の端部に紐状体２を固定することができる。この構造の本体部１は、引き出し開口１３側の端部を固定端部１１として紐状体２を固定することにより、本体部１に挿入された動物３０の肢部３４、３５を定位置に固定できる。
【００３４】
本体部１は、プラスチック製、金属製、あるいはガラス製とすることができる。プラスチック製の本体部１は、簡単かつ安価に製造できると共に、軽量にして動物３０の負担を小さくできる。また、簡単に加工できる特徴もある。さらに、プラスチック製の本体部１は、透光性を有する構造とすることができる。この本体部１は、固定した動物３０の肢部３４、３５を外部から視認し易くして、経過観察できる特徴がある。さらに、プラスチック製の本体部１は、樹脂材料に動物３０が嫌う成分を添加することで動物３０に噛まれて破損するのを有効に防止できる。四肢固定具をマウスやラット等に使用する場合には、鋭い歯によって本体部１がかじられることがあるが、樹脂成分に動物３０が嫌う成分を含有させることで動物３０がかじるのを抑制して、これ等が破損されるのを有効に防止できる。
【００３５】
金属製やガラス製の本体部１は、長期間にわたって破損することなく使用できる。とくに、使用対象となる動物３０にかじられることがあっても変形したり破損するのを有効に防止しながら安心して使用できる特徴がある。
【００３６】
以上の本体部１は、図２〜図４に示すように、動物３０の後肢３１の関節部３３に引っ掛けられた紐状体２を介して、後肢３１の一部を屈曲状態で挿入開口１０から本体部１の内部に挿入する。中空状の本体部１は、挿入された動物３０の肢部３４、３５であって、屈曲された後肢３１の周囲を被覆することで肢部３４、３５の自由を奪って拘束する。したがって、本体部１は、関節部３３で屈曲された姿勢の後肢３１を挿入できる内径（Ｄ）と全長（Ｌ）を有する（図１参照）。具体的には、本体部１は、後肢３１の下腿部（膝から踵までの部位）と足部（踵からつま先までの部位）を一度に包み込める太さを内径（Ｄ）の目安とする。また、全長（Ｌ）は、下腿部（膝から踵までの部位）あるいは足底（踵からつま先まで）の長さを目安として設計する。さらに、本体部１の内径（Ｄ）と全長（Ｌ）は、被実験体となる動物３０の種類や大きさによって最適な大きさに設計される。たとえば、マウスの後肢３１を拘束して固定する四肢固定具においては、本体部１の内径（Ｄ）を、７〜２０ｍｍ、好ましくは８〜１５ｍｍ、さらに好ましくは９〜１２ｍｍとすることができ、本体部１の全長（Ｌ）を１２〜３０ｍｍ、好ましくは１５〜２５ｍｍとすることができる。また、ラット用の四肢固定具では、本体部１の内径（Ｄ）を１５〜５０ｍｍ、好ましくは２０〜４０ｍｍとし、全長（Ｌ）を２０〜８０ｍｍ、好ましくは３０〜４０ｍｍとすることができる。さらにまた、ウサギ用の四肢固定具では、本体部１の内径（Ｄ）を２０〜７０ｍｍ、好ましくは３０〜５０ｍｍとし、全長（Ｌ）を５０〜１２０ｍｍ、好ましくは８０〜９０ｍｍとすることができる。
【００３７】
（固定部３）
固定部３は、紐状体２を本体部１に固定して、本体部１の内部に挿入された動物３０の肢部３４、３５を定位置に保持する。固定部３は、動物３０の肢部３４、３５を本体部１の定位置に配置した状態で、紐状体２を本体部１の定位置に固定する全ての構造が採用できる。このような固定部３として、図５または図６に示すように、本体部１に開口された一以上の開口部５と、開口部５に挿通された紐状体２を結んで形成された結束部６とすることができる。この四肢固定具は、本体部１に設けた開口部５に紐状体２の両端部を挿通する（図１参照）と共に、紐状体２の両端部を本体部１から引き出して、引っ張る（図３参照）ことで動物３０の関節部３３を本体部１の定位置まで移動させて、関節部３３の近傍の肢部３４、３５を定位置に配置（図４参照）し、この状態で引き出された紐状体２の両端部を結束する（図５参照）ことで紐状体２を本体部１の定位置に固定する。
【００３８】
さらに、固定部３は、本体部１に形成された一以上の挿通部１５と、この挿通部１５に挿通された紐状体２を結んで形成された結束部６とすることもできる（図１１ないし図１５参照）。このような挿通部１５は、本体部１の側面や端面に、直接あるいは別部材を介して形成することができる。この四肢固定具は、本体部１に設けた挿通部１５に紐状体２の両端部を挿通すると共に、紐状体２の両端部を本体部１から引き出して結束することで紐状体２を本体部１の定位置に固定する。
【００３９】
以上のように、紐状体２の両端部を結束して本体部１に固定する構造は、紐状体２を連結するための別部材を必要とせず、すなわち部品点数を増やすことなく、簡単かつ安価な構造で、紐状体２の両端部を連結して、本体部２から外れないように固定することができる。また、紐状体２の両端部を結束して連結する構造は、結束位置や結束強さを微調整できるので、使用する動物３０の大きさや状態を観察しながら、最適な状態で結束して固定できる特徴がある。ただ、紐状体２の両端部は、結束以外の方法で連結することもできる。紐状体２の両端部は、連結具（図示せず）を介して連結することもできる。例えば、紐状体２の両端部を筒状のスリーブに挿通すると共に、このスリーブを圧着して潰すことで紐状体２の両端部をスリーブで固定して連結することもできる。
【００４０】
ここで、本体部１に形成される開口部５や挿通部１５の位置は、使用対象となる動物３０の関節部３３を固定する位置を特定し、これにより、本体部１の内部に固定される肢部３４、３５の固定位置が特定される。固定部３の位置は、関節部３３で屈曲された姿勢の後肢３１を本体部１に挿入して関節部３３の近傍の肢部３４、３５（例えば下腿部と足部）を本体部１で被覆できる位置とする。とくに、肢部３５が後肢３１の足部（踵からつま先までの部位）である場合は、この足部を完全に被覆して、つま先が挿入開口１０から突出しない位置とする。固定部３となる開口部５や挿通部１５の位置は、挿入開口１０の開口縁からの深さ（Ｈ）で特定される。開口縁からの深さ（Ｈ）は、本体部１の全長（Ｌ）の５０〜１００％、好ましくは、６０〜１００％の位置とする。言い換えると、開口縁からの深さ（Ｈ）は、本体部１に挿入されて固定される動物３０の肢部３４、３５を本体部１で理想的に被覆できるように特定され、この開口縁からの深さ（Ｈ）を実現できるように、本体部１の全長（Ｌ）が特定される。
【００４１】
図１に示すように、本体部１を筒状として、その側面に開口部５を設けて固定部３を構成する場合は、開口縁からの深さ（Ｈ）を、好ましくは、本体部１の全長（Ｌ）の５０〜９０％、好ましくは、６０〜８０％とする。ここで、マウスの後肢３１を拘束して固定する四肢固定具であって、内径（Ｄ）を１０ｍｍとし、全長（Ｌ）を２０ｍｍとする本体部１においては、開口縁からの深さ（Ｈ）を１０〜１８ｍｍ、好ましくは、１２〜１６ｍｍとすることができる。
【００４２】
紐状体２は、本体部１の外周面に沿って配置して結束することができ、あるいは、図６に示すように。本体部１の端面側で結束することができる。ここで、四肢固定具をマウスやラット等に使用する場合は、前述のように、紐状体２の結束部６がかじられて噛み切られるおそれがあるので、好ましくは、結束部６は、本体部１の外側には露出しない構造とする。
【００４３】
（外装部８）
さらに、結束部６を本体部１の外部に配置する構造であっても、本体部１の外部を外装部８でカバーすることで、結束部６を保護して、この部分が動物３０にかじられて破損するのを有効に防止できる。このような外装部８として、ギプス１２で被覆（図６参照）することができ、あるいは、本体部１の一部ないし全体を被覆するカバー部２０で構成（例えば、図２０〜図２４参照）することができる。本体部１の外部を外装部８でカバーする構造は、紐状体２の露出部分を外装部８で被覆して、この露出部が動物３０にかじられるのを有効に防止できる。
【００４４】
（実施形態１）
図１〜図６に示す動物３０の四肢固定具は、本体部１を円筒状のプラスチックの筒体とし、紐状体２を所定の太さの糸状としている。円筒状の筒体である本体部１は、一端を挿入開口１０とし、他端部を固定端部１１として紐状体２を固定するための固定部３を構成する開口部５を設けている。図に示す本体部１は、固定端部１１の対向する側面に一対の貫通孔５ａを開口して開口部５としている。これ等の貫通孔５ａは、紐状体２を通す内径の円形状に開口している。図に示す本体部１は、固定端部１１の両側面に１個ずつ計２個の貫通孔５ａを開口して開口部５としている。
【００４５】
紐状体２は、本体部１の内部に配設されており、図１に示すように、平面視において、略Ｕ字状に中間をＵ曲する姿勢で配置されている。紐状体２は、挿入開口１０側において中間部がＵ曲されてループ部４を形成しており、このループ部４を本体部１の挿入開口１０から外側に突出させる状態で配置している。さらに、紐状体２は、その両端部が本体部１の固定端部１１に設けた開口部５である貫通孔５ａに挿通されて本体部１に連結されている。開口部５に挿通される紐状体２の両端部は、図５に示すように、本体部１の外部において結束して本体部１から抜けないようにしている。図に示す紐状体２は、本体部１の開口部５に挿通された両端部を本体部１の外部で結束して、この結束部６を固定部３としている。この構造は、紐状体２の結束状態を変更することで紐状体２で固定された動物３０の関節部３３の拘束状態を調整できる特徴がある。ただ、紐状体２の両端は、図示しないが、各々の先端部に開口部５を通過できない大きさの抜止部を設けて固定することもできる。
【００４６】
図５に示すように、本体部１の外側で紐状体２の先端部を結束する構造は。結束部６及び紐状体２の端部が本体部１の外側に表出するので、動物３０にかじられて破損するおそれがある。そこで、図６に示すように、本体部１及びその外側で結束された結束部６を、外装部８で被覆することにより、紐状体２の露出部分を保護している。図６に示す外装部８は、石膏と基材シートからなるギプス１２としている。この構造は、本体部１の外周面や紐状体２の端部及び結束部６をギプス１２で被覆するので、この部分が動物３０にかじられて破損することがない。
【００４７】
（実施形態２）
さらに、図７に示す四肢固定具は、円筒状の本体部１の固定端部１１の対向する側面に２個ずつの貫通孔５ａを開口して開口部５としている。図７に示す貫通孔５ａは、図１と同様に、紐状体２を挿通できる内径の円形孔としている。図７に示す本体部１は、固定端部１１の対向面に設けた２個の貫通孔５ａを図において上下に並べて設けている。この四肢固定具は、図７の鎖線で示すように、紐状体２の端部を一方の貫通孔５ａに挿入して、本体部１の内部から外部に向かって引き出すと共に、貫通孔５ａから引き出された端部を、この貫通孔５ａに近接するもう一方の貫通孔５ａに挿入して、本体部１の外部から内部に向かって挿通している。さらに、固定端部１１の内面側において、紐状体２の端部同士を結束して結束部６を設けている。この構造は、紐状体２の結束部６を本体部１の内部に配置できるので、この部分が動物３０にかじられるのを有効に防止できる。本体部１の外周面において開口部５から表出する紐状体２の露出部は、外装部８で被覆して保護できる。この露出部は、例えば、金属テープや瞬間接着剤等の外装体で簡単に被覆して保護できる。なお、図７では、固定部３の構造をわかりやすくするために、動物及び拘束される後肢を省略している。
【００４８】
（実施形態３）
さらに、図８に示す本体部１は、前述の図７に示す本体部１と同様に、円筒状の本体部１の固定端部１１において、対向する側面に各々２個ずつの貫通孔５ａを開口して開口部５としているが、図８に示す本体部１は、２個の貫通孔５ａからなる開口部５を、図において前後に並べて、すなわち、筒体の軸方向に並べて設けている。この四肢固定具も、図示しないが、紐状体２の端部を一方の貫通孔５ａ（挿入開口１０側）に挿入して、本体部１の内部から外部に向かって引き出すと共に、貫通孔５ａ（挿入開口１０側）から引き出された端部を、この貫通孔５ａ（挿入開口１０側）に近接するもう一方の貫通孔５ａ（引き出し開口１３側）に挿入して、本体部１の外部から内部に向かって挿通する。さらに、固定端部１１の対向する内面側において、紐状体２の端部同士を結束して結束部６を設けることができる。この構造も、紐状体２の結束部６を本体部１の内部に配置できるので、この部分が動物３０にかじられるのを有効に防止できる。また、この本体部１も、外周面において開口部５から表出する紐状体２の露出部を、外装部で被覆して保護できる。
【００４９】
（実施形態４）
さらに、図９と図１０に示す四肢固定具は、円筒状の本体部１の固定端部１１に形成する開口部５をスリット状としている。図に示す本体部１は、固定端部１１において、本体部１の軸方向と垂直な面内であって、筒状の外周面に沿って円弧状のスリット孔５ｂを開口して開口部５としている。この開口部５は、例えば、円筒状の本体部１の外周面を横断面方向（半径方向）に削って開口をすることができる。この本体部１は、図９に示すように、開口部５を広いスリット孔５ｂとするので、紐状体２の両端部を容易に挿通できる特徴がある。スリット孔５ｂに挿通された紐状体２は、図１０に示すように、両端部が本体部１の外側に引き出されて、動物３０の肢部３４、３５を本体部１の定位置に配置すると共に、この状態で紐状体２の両端部を結束して本体部１に固定する。この四肢固定具も、図示しないが、本体部１の外周面において、スリット孔５ｂから表出する紐状体２の露出部を外装部で被覆して保護できる。
【００５０】
（実施形態５）
さらに、図１１と図１２に示す四肢固定具は、本体部１を金属製の筒体としている。金属製の筒体である本体部１は、例えば、アルミニウムや銅からなる金属パイプを所定の長さにカットして製造できる。さらに、図に示す本体部１は、筒体の内部に挿通される紐状体２の両端を固定するために、固定端部１１の対向面に貫通孔５ａとなる開口部５を開口すると共に、各々貫通孔５ａにはリング１４を挿通している。リング１４は、図１１に示すように、貫通孔５ａから引き出し開口１３の開口端までの固定端部１１を囲む状態で連結されている。この四肢固定具は、本体部１の挿入開口１０側に紐状体２のループ部４を配置すると共に、本体部１に固定された各リング１４に、紐状体２の端部を各々挿通して、引き出し開口１３から外部に引き出している。この四肢固定具は、リング１４に挿通して外部に引き出された紐状体２の両端部を結束して紐状体２を本体部１に固定する。この四肢固定具は、本体部１に開口した開口部５と、開口部５に連結されたリング１４と、このリング１４に挿通された紐状体２の結束部６とで固定部３を構成している。この構造の四肢固定具は、紐状体２の結束部６を本体部１の内部に配置できるので、この部分が動物３０にかじられるのを有効に防止できる。また、リング１４を金属製とすることで、この部分が動物３０にかじられて破損するのを防止できる。ただ、リングは、プラスチック製や紐体で構成することもできる。この場合は、リングを外装部で被覆して保護できる。
【００５１】
（実施形態６）
さらに、図１３に示す四肢固定具は、金属製の筒体を外周面から内部に向かってプレス加工して、内面側に突出する挿通部１５を形成している。この本体部１は、固定端部１１の対向面において、軸方向に延長して所定の幅で側面を切断しながら内側に突出させることで、本体部１の内部に突出するリング状の挿通部１５を形成している。図示しないが、本体部は、固定端部の対向面において、軸方向と垂直な面内において、外周方向に延長して所定の幅で側面を切断しながら内側に突出させて、本体部の内部に突出するリング状の挿通部を形成することもできる。
【００５２】
この四肢固定具は、本体部１の内側に形成された各挿通部１５に、紐状体２の端部を各々挿通した状態で、引き出し開口１３から外部に引き出している。この四肢固定具は、本体部１の外部に引き出された紐状体２の両端部を結束して紐状体２を本体部１に固定する。すなわち、この四肢固定具は、本体部１に形成した挿通部１５と、この挿通部１５に挿通された紐状体２の結束部６とで固定部３を構成している。この構造の四肢固定具も、紐状体２の結束部６を本体部１の内部に配置できるので、この部分が動物３０にかじられるのを有効に防止できる。また、挿通部１５を本体部１の内部に形成するので、挿通部１５に挿通される紐状体２が本体部１の外部に突出するのを防止でき、紐状体２が動物３０にかじられて破損するのを防止できる。
【００５３】
（実施形態７）
さらに、図１４と図１５に示す四肢固定具は、金属製の筒体の固定端部１１に開口部５を設けて、紐状体２の挿通部１５を設けている。図に示す開口部５は、筒体である本体部１の軸方向に伸びる長円形とすると共に、長円形の長手方向の中間に区画支柱１６を設けて、長円形の開口部５を２つの挿通部１５に区画している。この本体部は、固定端部１１に設けた開口部５に挿通する紐状体２を、区画支柱１６を跨ぐ状態で２つの挿通部１５に挿通できるので、紐状体２の外部への露出を最小限にしながら、紐状体２を本体部１に固定できる。この四肢固定具は、紐状体２の露出を小さくできるので、外装部で簡単に被覆して保護できる。
【００５４】
（実施形態８）
さらに、図１６に示す四肢固定具は、本体部１を有底の筒体としている。この本体部１は、挿入開口１０と反対側の端面を閉塞プレート１７で閉塞して、全体を容器状としている。図に示す本体部１は、閉塞プレート７に一対の貫通孔５ａを開口して開口部５としている。これ等の貫通孔５ａは、紐状体２を通す内径に開口している。この本体部１は、閉塞プレート１７に設けた開口部５に紐状体２の両端部を挿通し、紐状体２の両端部を本体部１から外部に引き出して、ループ部４を挿入開口１０側の定位置に配置する。さらに、図１６に示す紐状体２は、中間部を環状に結束してループ部４を設けている。環状のループ部４は、動物３０の後肢３１を挿入できる大きさに形成している。
【００５５】
この四肢固定具は、紐状体２の中間に設けた環状のループ部４に動物３０の後肢２１を挿入し、関節部３３にループ部４を引っ掛けた状態で紐状体２の端部を外側に引っ張って動物３０の関節部３３を本体部１の内部の奥まで移動させる。この四肢固定具は、例えば、紐状体２の中間に設けた環状のループ部４の結束部分４Ａが閉塞プレート１７に当接するまで紐状体２の両端部を外側に引っ張ることで、動物３０の関節部３３を本体部１の定位置に配置することができる。閉塞プレート１７の外側において、引き出された紐状体２の端部を結束して紐状体２を本体部１に固定することができる。この四肢固定具は、閉塞プレート１７の外側に形成される紐状体２の結束部（図示せず）を外装部で被覆して紐状体２の露出部を保護できる。
【００５６】
（実施形態９）
さらに、図１７に示す四肢固定具は、筒体である本体部１の固定端部１１の内部において閉塞プレート１７を形成して本体部１の引き出し開口１３側の内部を閉塞している。本体部１は、閉塞プレート７に一対の貫通孔５ａを開口して開口部５としている。これ等の貫通孔５ａは、紐状体２を通す内径に開口している。この本体部１は、閉塞プレート１７に設けた開口部５に紐状体２の両端部を挿通し、紐状体２の両端部を本体部１から外部に引き出して、ループ部４を挿入開口１０側の定位置に配置している。この紐状体２は、閉塞プレート１７の外側に引き出された端部を結束して本体部１に固定される。この四肢固定具は、閉塞プレート１７の外側で結束される紐状体２の結束部（図示せず）が筒状の固定端部１１の内部に配置されるので、この部分が固定端部１１で保護されて動物３０にかじられるのを有効に防止できる。
【００５７】
（実施形態１０）
さらに、図１８に示す四肢固定具は、図１６に示す有底で筒状の本体部１の閉塞プレート１７の外側に筒体２５である外装部８を固定する構造としている。この筒体２５は、接着または溶着して、あるいは嵌合構造で本体部１に固定される。この四肢固定具は、閉塞プレート１７の外側に形成される紐状体２の結束部（図示せず）を筒体２５で被覆して保護できるので、この部分が動物３０にかじられるのを有効に防止できる。
【００５８】
さらに、図１８に示す四肢固定具は、ループ部４として、紐状体２と別部材からなる環状のリング部材１９を紐状体２に連結している。図に示すリング部材１９は、プラスチックを楕円形の環状に形成したものとしている。ただ、リング部材１９は、金属製のリングとすることも、糸状ないし紐状の線材をリング状に連結したものとすることも、あるいは、輪ゴム等のゴムリングとすることもできる。これらのリング部材１９は、動物３０の後肢３１を挿入できる構造であって、動物３０の後肢３１を挿入して関節部３３を引っ掛けた状態で本体部１に挿入できる形状とする。
【００５９】
図１８に示すループ部４は、リング部材１９に紐状体２を挿通して、リング部材１９を紐状体２の中間部に配置している。このループ部４は、紐状体２に沿ってリング部材１９を自由に移動できる。このため、紐状体２の端部を本体部１に固定する状態で、ループ部４を本体部１の内部で最適な位置に配置できる。ただ、環状のリング部材１９は、結束等により、紐状体２に固定することもできる。リング部材１９を紐状体２に固定する構造は、リング部１９を紐状体２の中間部に固定することも、紐状体の一端に固定することもできる。リング部を紐状体の一端に固定する構造は、図示しないが、他端部を外部に引き出すことで動物の後肢を本体部の定位置に配置できる。この構造は、紐状体の他端部のみを本体部に固定して動物の肢部を定位置に固定できる。したがって、本体部には１個の開口部を設けて紐状体を本体部から引き出すことができる。本体部から引き出された紐状体の端部には、例えば、クリップ等の固定具を固定して、紐状体が抜けないように固定することができる。
【００６０】
（実施形態１１）
さらに、図１９に示す四肢固定具は、筒体である本体部１の引き出し開口１３をカバー部２６で閉塞する構造としている。図に示すカバー部２６は、底板２７の外周に沿う周壁２８を有する形状で、底板２７を本体部１の引き出し開口１３に嵌着させて、引き出し開口１３を閉塞している。カバー部２６は、接着または溶着して、あるいは係止構造で本体部１の引き出し開口１３に固定される。カバー部２６は、閉塞プレート７に一対の貫通孔を開口して開口部２９としている。開口部２９は、紐状体２を通す内径に開口している。このカバー部２６は、底板２７に設けた開口部２９に紐状体２の両端部を挿通し、紐状体２の両端部をカバー部２６の内側に引き出した後、ループ部４を筒状の本体部１に挿通して挿入開口１０側から突出させた状態として、本体部１の引き出し開口１３に固定することができる。このため、紐状体２の両端を、簡単に貫通孔２９に挿通できる。さらに、この四肢固定具は、閉塞プレート１７の外側に形成される紐状体２の結束部（図示せず）をカバー部２６の周壁２８で被覆して保護できるので、この部分が動物３０にかじられるのを有効に防止できる。以上のカバー部２６は、紐状体２の結束部を保護する外装部８として機能すると共に、紐状体２を本体部１に固定する固定部３の一部としても機能する。したがって、この外装部８は固定部３に兼用される。
【００６１】
（実施形態１２）
さらに、図２０〜図２２は、図１に示す四肢固定具において、本体部１の外側に配置される紐状体２の結束部６を外装部８で被覆する構造を示している。図２０〜図２２に示す四肢固定具は、筒状の本体部１の引き出し開口１３を外側から閉塞するカバー部２６を備えている。このカバー部２０は、底板２１の外周に沿う周壁２２を備えており、この周壁２２の内側に本体部１の固定端部１１を挿入して本体部１から露出する紐状体２を被覆する構造としている。カバー部２０は、本体部１の固定端部１１を挿入できる内形に形成されている。カバー部２０は、好ましくは、本体部１の固定端部１１に嵌着できる構造とすることで、本体部１に対して簡単に連結できる。ただ、カバー部２０は、接着して本体部１に固定することも、外装テープ等で被覆して本体部１に固定することもできる。この四肢固定具は、本体部１の外側に配置される紐状体２や結束部６をカバー部２０で被覆するので、この部分が動物３０にかじられるのを確実に防止できる。
【００６２】
（実施形態１３）
さらに、図２３に示す四肢固定具は、本体部１の固定端部１１に対して、カバー部２０をさらに連結しやすくした構造を示している。図２３に示すカバー部２０は、周壁２２に複数のスリット２３を設けて、スリット２３の間に弾性片２４を設けている。すなわち、図のカバー部２０は、周壁２２の開口端から底板２１に向かって軸方向に延びる複数列のスリット２３を所定の間隔で設けて、これ等のスリット２３の間に、半径方向に弾性変形可能な弾性片２４を形成している。このカバー部２０は、本体部１の固定端部１１に連結する際に、弾性片２４を弾性変形させながら無理なく挿入して連結できる。図に示すカバー部２０は、周壁２２の対向する部位に一対の弾性片２４を設けている。これ等の弾性片２４は、図２３に示すように、本体部１の外側に露出する紐状体２と対向する姿勢で本体部１に連結することで、弾性片２４を紐状体２の表面に沿って弾性変形させながら連結できる。さらに、このカバー部２０は、本体部１に連結された状態では、これ等の弾性片２４が本体部１を弾性的に押圧することで、カバー部２０の抜け止めを防止部材としても機能する。さらに、図に示す本体部１は、カバー部２０を挿入しやすくするために、挿入開口１０から引き出し開口１３に向かって、外形を次第に小さくする先細り形状としている。この構造により、本体部１は、引き出し開口１３側の端部を無理なくカバー部２０に挿入して連結できる。
【００６３】
（実施形態１４）
さらに、図２４に示す四肢固定具は、本体部１の固定端部１１に連結する、カバー部２０の形状を平面視コ字状としている。図２４に示すカバー部２０は、本体部１の引き出し開口１３の直径方向に延びる帯状の底板２１の両端に、本体部１の外周面に沿う一対の弾性片２４を一体的に連結して設けている。このカバー部２０も、本体部１の固定端部１１に連結する際に、弾性片２４を弾性変形させながら無理なく連結できる。このカバー部２０は、図に示すように、一対の弾性片２４を本体部１の外側に露出する紐状体２と対向する姿勢で本体部１に連結させることで、本体部１の外周面に露出する紐状体２を弾性片２４で被覆できる。このカバー部２０も、本体部１に連結された状態では、これ等の弾性片２４が本体部１を弾性的に押圧することで、カバー部２０の抜け止めを防止部材として機能する。
【００６４】
（実施形態１５）
さらに、図２５に示す四肢固定具は、本体部１を角筒状としている。図に示す本体部１は、横断面形状を六角形とする角筒状としている。図に示す本体部１は、一端に挿入開口１０を開口すると共に、他端部の固定端部１１には、紐状体２を挿通するための貫通孔５ａである開口部５を開口している。図に示す本体部１は、六角形の対向する側面に一対の貫通孔５ａを開口して開口部５としている。
【００６５】
（実施形態１６）
さらに、図２６示す四肢固定具は、紐状体２を帯状としている。この紐状体２は、綿布等の布地、例えばガーゼを帯状に裁断したものである。この構造の紐状体２は、動物３０の四肢との接触面積を広くできるので、動物３０の肢部３４、３５に対する圧迫を低減させて、動物３０へのダメージを小さくできる。
【００６６】
以上の四肢固定具は、以下のようにして動物３０の肢部３４、３５を拘束しながら固定する。
（１）図２に示すように、本体部１の挿入開口１０から突出する紐状体２のループ部４を、動物３０の後肢３１の関節部３３に引っ掛ける。
（２）図３の矢印で示すように、紐状体２の両端部を引っ張って、後肢３１の関節部３３を本体部１の内部に挿入させる。
（３）図４に示すように、関節部３３を本体部１の定位置にまで移動させて、関節部３３及びその近傍の肢部３４、３５を本体部１の内部の定位置に配置する。この状態で、動物の後肢３１は、関節部３３を折曲部として屈曲された姿勢で、その全体が本体部１に被覆される。
（４）本体部１から引き出された紐状体２の両端部を結束して紐状体２を本体部１に固定する。紐状体２は、図５に示すように、本体部１の外周面で結束され、あるいは、図７に示すように、本体部の内部で結束され、あるいは又、図６、図２０、及び図２２〜図２４に示すように、本体部１の引き出し開口１３で結束される。
この状態で、動物３０の後肢３１は、本体部１の内部の定位置に拘束された状態で固定される。
（５）さらに、紐状体２の一部や結束部６が本体部１から露出する場合は、図６、図１８、図２０〜図２４に示すように、本体部１の外側を外装部８で被覆する。
【００６７】
さらに、四肢固定具は、実験の途中で紐状体２を交換することもできる。強度の高い丈夫な紐状体２は、動物３０の関節部３３や肢部３４、３５を確実に固定できるが、一方で動物３０にダメージを与えることがある。このため、実験開始からある程度時間が経過して動物３０の動きが抑制されてくると、動物３０に対してダメージの小さい紐状体２に交換することで動物３０への負担を小さくできる。例えば、実験開始当初は、被実験体である動物３０の抵抗力が強いため、強度の高い糸状ないし紐状の紐状体２を使用することで関節部３３を確実に固定し、所定の期間が経過して動物３０の抵抗力が低下した状態では、柔らかい素材の紐状体２、例えば、図２６に示すように、ガーゼ等の綿布を帯状に裁断した紐状体２のような布状の紐状体２に交換することで、拘束部分への負担を低減させて動物３０が弱るのを有効に防止できる。
【産業上の利用可能性】
【００６８】
本発明の動物の四肢固定具及び四肢の固定方法は、マウス、ラット、モルモット、ウサギ等の動物の前肢や後肢の一部を拘束しながら固定して実施される各種実験に好適に採用できる。
【符号の説明】
【００６９】
１…本体部
２…紐状体
３…固定部
４…ループ部
４Ａ…結束部分
５…開口部
５ａ…貫通孔
５ｂ…スリット孔
６…結束部
８…外装部
１０…挿入開口
１１…固定端部
１２…ギプス
１３…引き出し開口
１４…リング
１５…挿通部
１６…区画支柱
１７…閉塞プレート
１９…リング部材
２０…カバー部
２１…底板
２２…周壁
２３…スリット
２４…弾性片
２５…筒体
２６…カバー部
２７…底板
２８…周壁
２９…開口部
３０…動物
３１…後肢
３３…関節部
３４…肢部
３５…肢部
【図１】
2016192920.tif 000003
【図２】
2016192920.tif 000004
【図３】
2016192920.tif 000005
【図４】
2016192920.tif 000006
【図５】
2016192920.tif 000007
【図６】
2016192920.tif 000008
【図７】
2016192920.tif 000009
【図８】
2016192920.tif 000010
【図９】
2016192920.tif 000011
【図１０】
2016192920.tif 000012
【図１１】
2016192920.tif 000013
【図１２】
2016192920.tif 000014
【図１３】
2016192920.tif 000015
【図１４】
2016192920.tif 000016
【図１５】
2016192920.tif 000017
【図１６】
2016192920.tif 000018
【図１７】
2016192920.tif 000019
【図１８】
2016192920.tif 000020
【図１９】
2016192920.tif 000021
【図２０】
2016192920.tif 000022
【図２１】
2016192920.tif 000023
【図２２】
2016192920.tif 000024
【図２３】
2016192920.tif 000025
【図２４】
2016192920.tif 000026
【図２５】
2016192920.tif 000027
【図２６】
2016192920.tif 000028